(57)【特許請求の範囲】
【請求項１】
比誘電率が４以下の地糸により組織されるとともに人の通過するスリットが形成された布体と、芯糸に金属繊維をカバーリング加工した抵抗が５Ω／ｍ〜１５Ω／ｍの導電糸からなるとともに前記スリットに沿って所定間隔を空けて配列されて前記布体に密着保持された複数のアンテナ線とを備えていることを特徴とする暖簾。
【請求項２】
前記芯糸は、前記地糸と同一の糸を用いていることを特徴とする請求項１に記載の暖簾。
【請求項３】
前記アンテナ線は、前記布体の経糸方向及び／又は緯糸方向に挿入されて交差する地糸により保持されていることを特徴とする請求項１又は２に記載の暖簾。
【請求項４】
前記アンテナ線は、当該アンテナ線に交差するように前記布体に縫い込まれた縫糸により保持されていることを特徴とする請求項１又は２に記載の暖簾。
【請求項５】
前記アンテナ線は、前記スリットの形成方向と直交する方向に配置されていることを特徴とする請求項１から４のいずれかに記載の暖簾。
【請求項６】
建物内の複数箇所に取り付けられた請求項１から５のいずれかに記載の暖簾と、前記暖簾に保持された前記アンテナ線で受信した無線ＩＤタグからの信号に基づいてＩＤデータを読み取る情報読取部と、読み取られた前記ＩＤデータ及び読取位置情報に基づいてＩＤデータ別の移動情報を作成する情報処理部とを備えていることを特徴とする移動情報処理システム。  
【請求項７】
前記情報処理部は、前記ＩＤデータ及び読取位置情報に基づいてＩＤデータ別の入退室情報を作成することを特徴とする請求項６に記載の移動情報処理システム。
【発明の詳細な説明】
【技術分野】
【０００１】
本発明は、ＲＦＩＤ等の無線ＩＤタグを検知するアンテナを備えた布製の暖簾及びそれを用いた移動情報処理システムに関する。
【背景技術】
【０００２】
近年ＲＦＩＤ等の無線ＩＤタグの小型化が進み、無線ＩＤタグを様々な移動体に取り付けて識別するシステムが開発されている。無線ＩＤタグを認識するためには、無線ＩＤタグとの間で情報を送受信するためのアンテナが必要となる。
【０００３】
無線ＩＤタグの小型化により移動体に対する取付位置の制約が少なくなり、例えば人間に取り付ける場合でも衣服、身の回り品、所持品といった既存の身に付ける物に無線ＩＤタグを取り付けて人間の識別や位置認識が可能となっている。そのため、無線ＩＤタグと送受信するアンテナについても人間が移動する際に無線ＩＤタグに近接する様々な既存の物品に取り付けて、人間の移動を制約することなく自然な動作の中で識別や位置認識を行うことが望まれている。
【０００４】
無線ＩＤタグを用いた管理手法としては、例えば、特許文献１及び２では、入退室を検知する出入口にＲＦＩＤ受信用アンテナ及び赤外線検知装置を設け、赤外線検知装置により人体の通過を検知するとともに所持されたＲＦＩＤタグにより通過した保持者を特定して入退室を把握するようにした管理システムが記載されている。
【０００５】
また、物品の識別管理手法としては、例えば、特許文献３及び４では、アンテナを備えた暖簾状のシート体に、ＩＤタグを取り付けた物品を接触するように通過させることでＩＤタグをアンテナにより読み取るようにした点が記載されている。
【０００６】
また、アンテナを備えた布地としては、例えば、特許文献５では、経糸として、ポリエステル繊維等からなる非電気的伝導性の糸を用い、緯糸として、金属繊維等からなる電気的伝導性の糸を用いて織成された織物アンテナが記載されている。また、特許文献６では、少なくとも一部又は全部に導電性を示す導電部を有する金銀糸と絶縁性を示す絹糸とによって構成した織物に、導電部の配置パターンにより形成される導電性領域及び絶縁性を有するスロットを具備するアンテナが記載されている。
【先行技術文献】
【特許文献】
【０００７】
【特許文献１】特開２００１−０２８０９０号公報
【特許文献２】特開２００３−０２１６７９号公報
【特許文献３】特開平１１−３０１８４３号公報
【特許文献４】特開２００９−２９０５１２号公報
【特許文献５】特開２００８−５４６２０９号公報
【特許文献６】特開２００９−０４４４３９号公報
【発明の概要】
【発明が解決しようとする課題】
【０００８】
特許文献１及び２に記載されているように、従来の入退室管理システムでは、ＲＦＩＤタグの所持者を赤外線検知装置で通過検知する必要があり、また所持者から離れた位置に取り付けられたＲＦＩＤ受信用アンテナで検知するため、複数の所持者が近接した状態で通過する場合正確に所持者を特定できないおそれがある。
【０００９】
特許文献３及び４に記載されているように、暖簾状のシート体にＩＤタグを取り付けた物品を接触するように通過させる場合には、物品が順次接触することで物品を正確に特定して読み取ることができるが、ＩＤタグの所持者の通過を想定したものではない。
【００１０】
また、特許文献５では金属繊維を用いているが、金属繊維は伸縮性に乏しく、合成繊維と組み合わせて織物にすると、合成繊維の伸縮に追随せずに断線したり、撓んでしまうといった欠点があり、アンテナの素材としてはそのまま用いることは難しい。特許文献６では、ＰＥＴからなる基材にアルミニウムを蒸着した金銀糸を導電性糸に用いているが、金銀糸は断線しやすく電気抵抗が高いといった欠点がある。そして、金銀糸を捻れた状態で使用すると、捻れた部分では所定の方向からみて導電性を有する部分が不均一となるためアンテナ特性が一定しないといった問題がある。いずれにしても、ＲＦＩＤ等の無線通信用のアンテナとして十分な性能を備えた布地とはいえない。
【００１１】
そこで、本発明は、無線ＩＤタグの所持者が通過する際に正確にＩＤデータを読み取ることができるアンテナを備えた暖簾及びそれを用いた移動情報処理システムを提供することを目的とするものである。
【課題を解決するための手段】
【００１２】
本発明に係る暖簾は、比誘電率が４以下の地糸により組織されるとともに人の通過するスリットが形成された布体と、芯糸に金属繊維をカバーリング加工した抵抗が５Ω／ｍ〜１５Ω／ｍの導電糸からなるとともに前記スリットに沿って所定間隔を空けて配列されて前記布体に密着保持された複数のアンテナ線とを備えていることを特徴とする。さらに、前記芯糸は、前記地糸と同一の糸を用いていることを特徴とする。さらに、前記アンテナ線は、前記布体の経糸方向及び／又は緯糸方向に挿入されて交差する地糸により保持されていることを特徴とする。さらに、前記アンテナ線は、当該アンテナ線に交差するように前記布体に縫い込まれた縫糸により保持されていることを特徴とする。さらに、前記アンテナ線は、前記スリットの形成方向と直交する方向に配置されていることを特徴とする。
【００１３】
本発明に係る移動情報処理システムは、建物内の複数箇所に取り付けられた請求項１から５のいずれかに記載の暖簾と、前記暖簾に保持された前記アンテナ線で受信した無線ＩＤタグからの信号に基づいてＩＤデータを読み取る情報読取部と、読み取られた前記ＩＤデータ及び読取位置情報に基づいてＩＤデータ別の移動情報を作成する情報処理部とを備えていることを特徴とする。さらに、前記情報処理部は、前記ＩＤデータ及び読取位置情報に基づいてＩＤデータ別の入退室情報を作成することを特徴とする。
【発明の効果】
【００１４】
本発明に係る暖簾は、上記のような構成を有することで、人の通過するスリットが形成された布体に対してスリットに沿って所定間隔を空けて配列して複数のアンテナ線を密着保持しているので、スリットの両側の布部分をかき分けるように無線ＩＤタグの所持者が通過する際にスリットに沿う複数のアンテナ線が無線ＩＤタグに近接するようになり、無線ＩＤタグとアンテナ線の間で確実に無線通信を行うことができる。
【００１５】
すなわち、人が暖簾をくぐる際にスリットの両側の布部分が人の両肩に掛かりながら滑るように接触するようになるが、アンテナ線をスリットに沿って複数配列した布部分が人の両肩に接触しながら滑るように移動するようになり、配列された複数のアンテナ線が順次人の前面部分及び肩部分に近接していくようになっていずれかのアンテナ線で受信することができる。
【００１６】
また、スリットに沿ってアンテナ線が複数配列されているので、通過する人の身長に高低差がある場合でもアンテナ線を確実に無線ＩＤタグに近接させることができる。
【００１７】
また、比誘電率が４以下の地糸により組織される布体に対して抵抗が５Ω／ｍ〜１５Ω／ｍの導電糸からなるアンテナ線を密着保持させているので、絶縁体の地組織に低抵抗のアンテナ線を用いることで感度のよいアンテナとして使用することができる。
【００１８】
また、アンテナ線として芯糸に金属繊維をカバーリング加工した導電糸を用いているので、アンテナ線が柔軟性及び伸縮性に優れたものとなり、地組織に密着保持させた状態で地組織が湾曲変形した場合でも地組織の変形に追従することができる。そして、金属線が芯糸に巻き付くようにカバーリング加工されているので、合成繊維からなる糸と同様の力学特性を有しており、アンテナ線が湾曲した場合でも断線することがなく、かつ金属繊維が撓むこともない。
【００１９】
また、導電糸の芯糸を布体の地糸と同一の糸を用いることで、導電糸を地糸と同様の柔軟性及び伸縮性を持たせることができ、布体にアンテナ線を密着保持した状態で両者がずれることなく同じように変形させることが可能となる。
【図面の簡単な説明】
【００２０】
【図１】本発明に係る実施形態に関する斜視図である。
【図２】アンテナ線が配列された布地部分に関する部分拡大図である。
【図３】導電糸に関する一部拡大図である。
【図４】アンテナ線が織り込まれた場合に関する部分拡大図である。
【図５】アンテナ線が縫製された場合に関する部分拡大図である。
【図６】布体の別の作製方法に関する説明図である。
【図７】無線ＩＤタグの所持者が暖簾を通過する場合の説明図である。
【図８】無線ＩＤタグの所持者に関する正面図である。
【図９】移動情報処理システムに関するブロック構成図である。
【図１０】移動情報に関する処理フローである。
【図１１】移動情報をリスト表示した場合の表示例である。
【図１２】移動情報をマップ表示した場合の表示例である。
【発明を実施するための形態】
【００２１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００２２】
図１は、本発明に係る実施形態に関する斜視図である。暖簾１は、人が通過するスリットＳが形成された布体２を備えており、布体２には複数のアンテナ線３がスリットＳに沿って所定間隔を空けて密着保持されている。各アンテナ線３は、配線コード４を介して読取装置５に接続されている。そして、アンテナ線３に無線ＩＤタグが近接することで無線ＩＤタグからアンテナ線３に受信された信号は読取装置５に入力され、受信したＩＤデータが読取装置５で読み取られる。読み取られたＩＤデータは、読取位置情報とともに読取装置５から情報処理装置６に無線通信により送信される。情報処理装置６では、後述するように、送信されたＩＤデータ及び読取位置情報を格納するとともに最新位置情報及び入退室情報を作成する。
【００２３】
布体２は、図１では、スリットＳだけ隙間を空けた２枚の布地の組合せで構成されているが、１枚の布地を下端から上部に向かって切り込みを入れることでスリットＳを形成するようにしてもよい。
【００２４】
布体２としては、通常の暖簾に使用される織物又は編物なる布地を用いればよく、布地を組織する地糸は、比誘電率が４以下の電気的に絶縁性のものが好ましい。具体的には、ＰＥＴ（ポリエチレンテレフタレート）、ＰＴＴ（ポリトリメチレンテレフタレート）又はＰＢＴ（ポリブチレンテレフタレート）等のポリエステル系繊維、ナイロン（ポリアミド繊維）、アラミド（芳香族ポリアミド繊維）、ポリプロピレン又はポリエチレン等のポリオレフイン系繊維、アクリル等の合成繊維、レーヨン、アセテート等の化学繊維、綿、麻、ウール又は絹等の天然繊維が挙げられる。また、これらの繊維を複数種類混合した複合繊維を用いてもよい。
【００２５】
図２は、アンテナ線３がスリットＳに沿って配列された布地部分に関する部分拡大図である。アンテナ線３は、スリットの形成方向と直交する方向に沿って直線状に配列された一対の導電糸３ａ及び３ｂを組み合せたダイポールアンテナ形状に設定されている。アンテナ線３を構成する導電糸３ａ及び３ｂの近接する端部は所定の間隔が空けられており、導電糸３ａ及び３ｂの離間する端部の間の間隔に基づいてアンテナの周波数特性が決定される。また、導電糸の対向する端部には直交する方向に別の導電糸が配列されて配線コード４の接続線３ｃとなっている。この例では、一方の接続線３ｃが導電糸３ｂに接続されずにそれに沿って平行に配列されている。接続線３ｃと導電糸３ａとの間を電気的に接続する位置は、実際にアンテナ線３の特性を測定して最適位置を探索して決定する。なお、上述した導電糸の端部間の間隔は、導電糸の実際の長さではなく平面視での端部の間の直線距離である。
【００２６】
アンテナ線３に用いる導電糸は、銅繊維、錫青銅繊維、ステンレス繊維等の金属繊維を芯糸の周囲にカバーリング加工したものである。芯糸としては、ＰＥＴ（ポリエチレンテレフタレート）、ＰＴＴ（ポリトリメチレンテレフタレート）又はＰＢＴ（ポリブチレンテレフタレート）等のポリエステル系繊維、ナイロン（ポリアミド繊維）、アラミド（芳香族ポリアミド繊維）、ポリプロピレン又はポリエチレン等のポリオレフイン系繊維、アクリル等の合成繊維、レーヨン、アセテート等の化学繊維、綿、麻、ウール又は絹等の天然繊維といった繊維からなる糸を用いるとよく、これらの繊維を複数種類混合した複合繊維からなる糸を用いてもよい。
【００２７】
カバーリング加工としては、シングルカバーリング加工及びダブルカバーリング加工があり、図３には、芯糸３０の周囲に金属繊維３１を２重に巻き付けたダブルカバーリング加工を施した導電糸を示している。
【００２８】
導電糸は、電気的に低抵抗のものが望ましく、電気抵抗が５Ω／ｍ〜１５Ω／ｍに設定するとよい。電気抵抗が１５Ω／ｍを超えると、アンテナとしての感度が悪化する。
【００２９】
導電糸の力学特性は、カバーリング加工する金属繊維の撚り数が３０００Ｔ／ｍ以上になると、芯糸とほぼ同じ特性を有するようになる。芯糸に金属繊維をカバーリング加工した導電糸をアンテナ線に用いることで、柔軟性及び伸縮性を有するアンテナ線３を得ることができ、布体２にアンテナ線３を密着保持した場合に布体２が湾曲又は伸縮しても、アンテナ線３が断線したりずれることなく布体２の変形に追従することが可能となる。
【００３０】
図４は、二重織により織成された布体２にアンテナ線３を密着保持した場合の布地部分の拡大図である。アンテナ線３は、二重に織成された織地の上面側の織地に密着保持されている。アンテナ線３である導電糸が緯糸２ａの間に配列されており、経糸２ｂが導電糸の上下に交互に交差して緯糸２ａと同様に挟持されている。そのため、アンテナ線３が布体２に密着保持されて抜け落ちることはない。また、導電糸が柔軟性及び伸縮性を有しているため、布体２が変形してもそれに追従して変形することができ、断線等のトラブルが生じることはない。導電糸の芯糸として緯糸２ａと同じものを使用すれば、導電糸の力学特性を経糸とほぼ同様に設定することができ、布体２の変形に対して導電糸がよりスムーズに追従することが可能となる。
【００３１】
また、導電糸に対して経糸２ｂがほぼ等間隔で交差するため、交差する経糸２ｂの本数に基づいて密着保持する導電糸の長さを設定することが可能となる。したがって、布体２を織成する際に緯糸として導電糸を所定本数の経糸分だけ挿入して織成し、布体２の織成後に経糸により保持された分だけ残して導電糸を切断し、アンテナ線として用いるようにすることもできる。このようにアンテナ線を形成することで、導電糸の端部間の間隔を精度よく設定することができ、アンテナの感度を向上させることが可能となる。
【００３２】
この例では、布体２が二重織により織成されているので、アンテナ線３の下面に電気的な絶縁性を有する織地が配設される構成となっており、アンテナ線３が導電体に接触することを防止するようになっている。
【００３３】
なお、上述した例では、導電糸を緯糸方向に配列しているが、経糸方向に配列して保持することもでき、接続線３ｃのように経糸方向に配列して緯糸により保持するようにしてもよい。
【００３４】
図５は、平織りにより織成された布体２に縫糸７によりアンテナ線３を密着保持した場合の布地部分の拡大図である。この場合には、布体２の表面にアンテナ線３を直線状に配置して接着剤等により固定し、ミシン等の縫製機を用いて縫糸７でアンテナ線３の両側に交互に縫い付けていき、アンテナ線３を布体２に密着保持するようにしている。
【００３５】
アンテナ線３を縫製により固定する場合には、布体２として織物又は編物のいずれを用いてもよい。また、布体２に後付けでアンテナ線３を取り付けるので、縫い付けた導電糸の長さを測定しながらアンテナ線３の設定どおりの間隔となっているかチェックして取り付けることができ、アンテナ線３を布体２に対して精度よく固定することができる。なお、縫糸７の縫付間隔が等間隔に設定できる場合には、布体２に対する縫付回数に基づいてアンテナ線３の長さを設定することもできる。
【００３６】
図６は、布体２の別の作製方法に関する説明図である。この例では、布体２となる布地２０の片面側において、布地２０の中心線Ｔで２つの半分の領域を画定して一方の領域のみに複数のアンテナ線３を所定間隔空けて配列して密着保持し、各アンテナ線３に接続する配線コード４を一方の領域に配置する（図６（ａ））。そして、中心線Ｔに沿って布地２０を折り曲げて、アンテナ線３が設けられていない他方の領域の布地部分を一方の領域に重ね合わせてアンテナ線３及び配線コード４を布地２０で覆うように設定して、布地２０の周縁部を縫製して布体２を作製する。このようにアンテナ線３が布体２内部に密着保持されることで、アンテナ線３が不用意に導電体に接触することが防止され、アンテナ線３は無線ＩＤタグとの間で確実に送受信を行うことができる。
【００３７】
図７は、無線ＩＤタグの所持者Ｍが暖簾１を通過する場合の説明図である。所持者Ｍは、図８に示すように、両肩部分に無線ＩＤタグを取り付けたパッドＭ１及びＭ２を装着している。パッドＭ１及びＭ２には、複数の短冊状のＲＦＩＤタグが所定間隔を空けて配設されており、その長手方向が肩のラインに沿うように配列されて装着した状態ではできるだけ水平方向となるように設定されている。
【００３８】
布体２を吊り下げた状態では、スリットＳが垂直方向に設定されるためスリットＳと直交するアンテナ線３はほぼ水平方向に設定されるようになる（図７（ａ））。そして、スリットＳに向かって所持者Ｍが前進し、スリットＳの両側の布地部分をかき分けるようにして暖簾１をくぐると、両側の布地部分が所持者Ｍの両肩部分に接触した状態となる（図７（ｂ））。そのため、パッドＭ１及びＭ２に配設されたＲＦＩＤタグが接触する布地部分のアンテナ線３と近接した状態となる。そして、パッドＭ１及びＭ２に接触した布地部分は、所持者Ｍが前進するにつれてパッドＭ１及びＭ２に接触した状態で滑るように相対移動するようになり、アンテナ線３が順次パッドＭ１及びＭ２に配設されたＲＦＩＤタグに近接した状態に設定されるようになる。
【００３９】
所持者Ｍによって身長の高低差があり、暖簾１の通り抜け動作についても各人各様であるが、スリットＳに沿って複数のアンテナ線３を所定間隔を空けて配列しておくことで、通り抜け動作の際にいずれかのアンテナ線３がパッドＭ１及びＭ２のＲＦＩＤタグと受信可能な近接した状態に設定されて確実にＲＦＩＤタグからＩＤデータを読み取ることができるようになる。
【００４０】
図９は、上述した暖簾を用いた移動情報処理システムに関するブロック構成図である。この例では、建物内の複数箇所に暖簾１及び読取装置５をｎ個設置している。例えば、介護施設の場合には、建物内の介護者の居室、トイレ、廊下、外部への出入り口等に設置する。
【００４１】
読取装置５1〜５nは、それぞれ読取部５０1〜５０n及び送受信部５１1〜５１nを備えており、各読取部５０は、アンテナ線３1〜３nで受信した信号からＩＤデータを読み取り、各送受信部５１は、読取部５０で読み取ったＩＤデータを読取位置情報とともに情報処理装置６に送信する。読取部５０では、布体２に配列された複数のアンテナ線３に対して順次読み取り処理を行うスキャン方式によりＩＤデータを読み取る。なお、１回のスキャン中に同じＩＤデータを複数のアンテナ線３で読み取った場合には、１つのＩＤデータを読み取ったものとしてそのＩＤデータを情報処理装置６に送信すればよい。
【００４２】
情報処理装置６は、情報処理部１００、記憶部１０１及び表示部１０２を備えている。情報処理部１００は、読取装置５から送信されるＩＤデータ及び読取位置情報を受信する送受信部１００ａ、受信したＩＤデータ及び読取位置情報に基づいて移動情報を作成する移動情報処理部１００ｂ、及び、作成した移動情報を表示部１０２に表示するための処理を行う表示処理部１００ｃを備えている。また、記憶部１０１は、受信したＩＤデータ及び読取位置情報、履歴情報、作成された移動情報等の情報処理に必要な情報を記憶する。表示部１０２では、移動情報のリスト表示、マップ表示等を行う。
【００４３】
図１０は、移動情報に関する処理フローである。この例では、移動情報として、最新位置情報及び入退室情報を作成する。まず、読取装置５からの受信データがあるかチェックし（Ｓ１００）、受信データがある場合には、受信データに含まれるＩＤデータ及び読取位置情報を抽出して記憶部１０１に格納する（Ｓ１０１）。読取位置情報としては、例えば、読取装置５から送信される識別コードをそのまま格納してもよいし、読取装置５の識別コード及びそれに対応する位置データを予め記憶しておき、受信した識別コードに基づいて位置データを読取位置情報として格納するようにしてもよい。
【００４４】
次に、受信したＩＤデータに対応する最新位置情報を記憶部１０１から読み出し（Ｓ１０２）、読み出した最新位置情報及び受信した読取位置情報から入退室情報を作成する（Ｓ１０３）。読み出した最新位置情報は、前回受信した読取位置情報であるので、前回の読取位置情報及び今回の読取位置情報を関連付けることで入退室情報を作成することができる。例えば、前回の読取位置情報の位置が居室で今回の読取位置がトイレの場合には、トイレの入室情報とすることができる。
【００４５】
入退室情報を作成後最新位置情報を読取位置情報に更新する（Ｓ１０４）。なお、受信した読取位置情報は、ＩＤデータ別に履歴情報として受信時刻とともに記憶しておく。
【００４６】
そして、最新位置情報、入退室情報、履歴情報等に基づいて表示情報を作成する（Ｓ１０５）。例えば、図１１に示すように、ＩＤデータ別に時系列で入退室情報をリスト表示したり、図１２に示すように、入退室情報に基づいて建物内部のレイアウトとともに移動した軌跡をマップ表示するようにしてもよい。また、各ＩＤデータの最新位置情報を一覧表示するようにしてもよい。
【００４７】
以上のように移動情報を表示することで、無線ＩＤタグの所持者の現在位置、移動経路等を把握することができる。また、入退室に関しては、出入り口に一対の暖簾を通行方向に所定間隔を空けて吊り下げておき、各暖簾で読み取られたＩＤデータの時間差に応じて通行方向を決定することで入退室情報を作成するようにしてもよい。
【産業上の利用可能性】
【００４８】
本発明に係る暖簾は、通常の暖簾と同様に柔軟性のある布体で組織されるとともに糸状のアンテナ線を布体に密着保持するようにしているので、通常の暖簾と遜色のない肌触り及びデザインを実現することができ、建物内の出入り口や廊下に吊り下げてもインテリア製品として違和感なく取り付けることが可能となる。
【００４９】
また、読取装置及び暖簾をセットで簡単に取り付けることができるため、既存の建物内の必要な個所に取り付けて無線通信により容易に移動情報を管理することが可能となる。例えば、介護施設に設置して、認知症の被介護者に対する位置情報の確認及び入退室管理を行う上で好適である。
【符号の説明】
【００５０】
Ｓ    スリット
１    暖簾
２    布体
2a    経糸
2b    緯糸
20    布地
３    アンテナ線
30    芯糸
31    導電糸
４    配線コード
５    読取装置
６    情報処理装置
７    縫糸
【図１】
0005521157.tif 000002
【図２】
0005521157.tif 000003
【図３】
0005521157.tif 000004
【図４】
0005521157.tif 000005
【図５】
0005521157.tif 000006
【図６】
0005521157.tif 000007
【図７】
0005521157.tif 000008
【図８】
0005521157.tif 000009
【図９】
0005521157.tif 000010
【図１０】
0005521157.tif 000011
【図１１】
0005521157.tif 000012
【図１２】
0005521157.tif 000013